(57)【要約】【課題】  外観を損なったり、邪魔になったりすることなくトイレットペーパーを収容することができるポータブルトイレを提供する。【解決手段】  腰掛け式のトイレ本体１の座部１１の側面に開口部９３を設ける。トイレットペーパー１０６が収容される収容部９８を設けた収納容器９４を開口部９３内に配置する。そして、収納容器９４の外面が座部１１の外面と面一となった状態で収容部９８が座部１１内に没入する位置と、収納容器９４の収容部９８が座部１１の外方に突出する位置との間で回動自在に、収納容器９４を座部１１に取り付ける。【選択図】  図１
2005152261.tif 000002
【特許請求の範囲】
【請求項１】
腰掛け式のトイレ本体の座部の側面に開口部を設け、トイレットペーパーが収容される収容部を設けた収納容器を開口部内に配置し、収納容器の外面が座部の外面と面一となった状態で収容部が座部内に没入する位置と、収納容器の収容部が座部の外方に突出する位置との間で回動自在に、収納容器を座部に取り付けて成ることを特徴とするポータブルトイレ。
【請求項２】
ロール状のトイレットペーパーの中心に通してトイレットペーパーを保持する棒状のホルダーを回転自在に支持するホルダー軸受けを、収納容器の収容部に設けて成ることを特徴とする請求項１に記載のポータブルトイレ。
【請求項３】
トイレ本体内の便受け槽の便蓋を脱着自在に保持する蓋保持部を、収納容器の収容部にに設けて成ることを特徴とする請求項１又は２に記載のポータブルトイレ。
【発明の詳細な説明】
【技術分野】
【０００１】
本発明は、介護用等に用いられる腰掛け式のポータブルトイレに関するものである。
【背景技術】
【０００２】
病人や老人等の介護用の可搬型トイレとして、各種の腰掛け式のポータブルトイレが提供されている。このポータブルトイレは、トイレ本体の座部内に便受け槽を収容し、座部の便座に腰掛けて、便受け槽に排便をすることができるようにしたものが一般的である。そして排便した後の処理をするトイレットペーパーが常に手元にあれば便利である。
【０００３】
そこで、トイレ本体の側面に開口部を設け、前面が開口する収容部を設けて形成されるトイレットペーパーホルダーをこの開口部に嵌め込んで装着し、トイレットペーパーホルダーの収容部にトイレットペーパーを収容するようにしたものが提案されている（例えば特許文献１、特許文献２等参照）。
【特許文献１】特開平８−１９６４６９号公報
【特許文献２】特開平８−１９６４７２号公報
【発明の開示】
【発明が解決しようとする課題】
【０００４】
しかし、上記の特許文献１，２のものはいずれも、トイレットペーパーホルダーはトイレ本体に固定的に取り付けられるものであり、トイレットペーパーホルダーは常に収容部がトイレ本体の外面に露出しており、収容部に収容したトイレットペーパーは常に露出状態にあり、また収容部のうちトイレットペーパーの下部を受ける部分がトイレ本体の外面に突出している。このため、これらがトイレ本体の外観を損なって見苦しく、また突出する部分が邪魔になるという問題を有するものであった。
【０００５】
特許文献１のものではトイレットペーパーホルダーの収容部の前部を折り畳み自在に形成することによって、この部分をトイレ本体内に引っ込ませることができるようにしているが、収容部にトイレットペーパーを収容するときには引っ込ませることができないので、問題はなんら解決されていない。
【０００６】
本発明は上記の点に鑑みてなされたものであり、外観を損なったり、邪魔になったりすることなくトイレットペーパーを収容することができるポータブルトイレを提供することを目的とするものである。
【課題を解決するための手段】
【０００７】
本発明の請求項１に係るポータブルトイレは、腰掛け式のトイレ本体１の座部１１の側面に開口部９３を設け、トイレットペーパー１０６が収容される収容部９８を設けた収納容器９４を開口部９３内に配置し、収納容器９４の外面が座部１１の外面と面一となった状態で収容部９８が座部１１内に没入する位置と、収納容器９４の収容部９８が座部１１の外方に突出する位置との間で回動自在に、収納容器９４を座部１１に取り付けて成ることを特徴とするものである。
【０００８】
この発明によれば、トイレットペーパー１０６を収容する収容部９８が座部１１内に没入する状態で収納容器９４をトイレ本体１の座部１１に納めることができ、トイレットペーパー１０６や収容部９８が突出して邪魔にならないようにすることができる。また収納容器９４の外面が座部１１の外面と面一となった状態で収納容器９４をトイレ本体１の座部１１に納めることによって、収納容器９４を座部１１と一体化させることができ、外観を良好に保つことができる。
【０００９】
また請求項２の発明は、請求項１において、ロール状のトイレットペーパー１０６の中心に通してトイレットペーパー１０６を保持する棒状のホルダー１０４を回転自在に支持するホルダー軸受け１０１を、収納容器９４の収容部９８に設けて成ることを特徴とするものである。
【００１０】
この発明によれば、ロール状のトイレットペーパー１０６を収容部９８内で回転させて、トイレットペーパー１０６を使い勝手良く収納容器９４の収容部９８から引き出して使用することができる。
【００１１】
また請求項３の発明は、請求項１又は２において、トイレ本体１内の便受け槽１６の便蓋１５を脱着自在に保持する蓋保持部１０２を、収納容器９４の収容部９８に設けて成ることを特徴とするものである。
【００１２】
この発明によれば、便受け槽１６に排便する際に、トイレットペーパー１０６を収容する収納容器９４を利用して、便蓋１５を保持することができるものである。
【発明の効果】
【００１３】
本発明によれば、トイレットペーパー１０６を収容する収容部９８が座部１１内に没入する状態で収納容器９４をトイレ本体１の座部１１に納めることができ、トイレットペーパー１０６や収容部９８が突出して邪魔にならないようにすることができると共に、収納容器９４の外面が座部１１の外面と面一となった状態で収納容器９４を座部１１に納めることによって、収納容器９４を座部１１と一体化させて、外観を良好に保つことができるものであり、外観を損なったり、邪魔になったりすることなくトイレットペーパー１０６を収容することができるものである。
【発明を実施するための最良の形態】
【００１４】
以下、本発明を実施するための最良の形態を説明する。
【００１５】
図２及び図３は本発明に係るポータブルトイレの一例を示すものであり、トイレ本体１は座部１１の下面の両側に左右一対の脚１２を設けて形成してある。座部１１は上面が開口する箱状に形成されるものであり、開口から座部１１内に防汚トレイ１４をはめ込むと共に防汚トレイ１４内に便蓋１５を被せた便受け槽１６を収容するようにしてある。防汚トレイ１４の上には中央部が開口となった便座１７が図３のように載置してあり、便座１７の上に図２のように座板１８が載置してある。座板１８は折り畳み自在な前板３７と後板３８から形成してあり、後端部を枢支金具４１によって座部１１の後端に枢着してある。そして前板３７と後板３８を折り畳みながら後方へ回動させることによって、座板１８を立てた状態で図３のように背もたれ４に収納できるようにしてある。
【００１６】
脚１２は前後方向に長い接地体１９に前後一対の脚支柱２０を立設して形成されるものである。そして、脚支柱２０の上部を座部１１に下側から差し込んでネジ止めすることによって、脚１２を座部１１に固定するようにしてあり、ネジ止めする箇所を調整することによって高さ調整ができるようにしてある。さらに接地体１９の後端にはキャスター２１が取り付けてあり、ポータブルトイレを後方へ傾けた状態でキャスター２１によって移動させることができるようにしてある。
【００１７】
また、座部１１の背部側端部の両側端部にそれぞれ背もたれ支柱２が立設してあり、この左右一対の背もたれ支柱２の上部間に表面がクッション材となった背もたれ板２４を取り付けることによって、背もたれ４が形成してある。背もたれ板２４は前後方向の取付位置及び取付角度を調整できるようにしてある。
【００１８】
さらに座部１１の両側には肘掛け２２が取り付けてある。肘掛け２２は図２や図３に示すように、表面をクッション材などで形成した肘掛け板５５の前部下面に肘掛け支柱５６を軸ピン５７で回動自在に枢着して形成してある。肘掛け板５５の後端部には枢支金具６３が取り付けてあり、枢支金具６３を背もたれ支柱２に固定することによって、肘掛け板５５の後端を背もたれ支柱２に上下回動自在に枢支するようにしてある。また肘掛け支柱５６の下端部には係止具５９が設けてあり、座部１１の先端部の側面に固定した支柱受け具８３に肘掛け支柱５６の下端を差し込んで、係止具５９を支柱受け具８３に係合させることによって、肘掛け支柱５６を支柱受け具８３で座部１１に支持するようにしてある。従って、係止具５９による係止を外して、肘掛け板５５を枢支金具６３で上方へ回動すると共に、肘掛け支柱５６を回動して肘掛け板５５に肘掛け支柱５６を沿わせることによって、肘掛け２２を跳ね上げて背もたれ４と平行に立てることができ、座部１１の側方が開放された状態にして、例えばベッドから座部１１の上に移乗したり、座部１１からベッドに移乗したりすることが容易になるものである。
【００１９】
上記のように形成されるポータブルトイレにあって、上記の各部材のうち、座部１１、脚１２、背もたれ４、肘掛け２２は主として木材で形成してあり、ポータブルトイレの全体の外観が木製の家具調を呈するようにしてある。そして座部１１の座板１８の上に座ることによってポータブルトイレを図２のように椅子として使用することができるものであり、排便を行なう場合には、座板１８を図３のように後方へ折り畳みながら回動させて便座１７を露出させ、便蓋１５を開いた後に、便座１７の上に座って、便受け槽１６に排便をすることができるものである。排便が終わったあとは、図４に示すように、便受け槽１６をその取っ手３１を掴んで取り出して、廃棄することができるようにしてある。
【００２０】
次に、トイレットペーパー１０６を収容する収納容器９４について説明する。すなわち、トイレ本体１の座部１１の両側面にはそれぞれ開口部９３が形成してあり、この両開口部９３の少なくとも一方に収納容器９４を取り付けるようにしてある。使い勝手などに合わせて、座部１１の右側面と左側面のいずれにも収納容器９４を取り付けることができるようになっているのである。
【００２１】
収納容器９４は図５に示すように、前面板９５の背面下端に下面板９６を背方向へ突出して設けると共に前面板９５と下面板９６の両側端間に側面板９７を設けることによって、背面及び上面が開口する収容部９８が形成された箱状に形成してある。前面板９５には取っ手用開口９９が設けてあり、前面板９５の両側の下端にはそれぞれ回動軸１００が突設してある。また両側の各側面板９７にはそれぞれ対向する位置においてホルダー軸受け１０１が設けてある。ホルダー軸受け１０１は各側面板９７の対向する部分を切欠することによって凹設するようにしてあり、導入切欠部１０１ａと導入切欠部１０１ａの奥端の丸孔１０１ｂから形成してある。このホルダー軸受け１０１より上側において各側面板９７に蓋保持部１０２が形成してある。蓋保持部１０２は各側面板９７の対向する部分をコ字形に切欠することによって凹設するようにしてある。さらに一方の側面板９７の外面の下端には開き止め突部１０３が突設してある。ここで、ロール状のトイレットペーパー１０６の芯に通してトイレットぺーパー１０６を保持する円柱棒状のホルダー１０４は、その両端面に突設した軸１０５を各側面板９７のホルダー軸受け１０１の丸孔１０１ｂに導入切欠部１０１ａに抜き差し自在に差し込むことによって、図６に示すように側面板９７間において収容部９８内に回動自在に取り付けるようにしてある。
【００２２】
収納容器９４は開口部９３の箇所において座部１１内に配置されるものであり、両下端の回動軸１００を座部１１内に設けた軸受け部（図示省略）に回動自在に枢支することによって、座部１１内に取り付けるようにしてある。収納容器９４はその前面板９５が開口部９３内において座部１１の外側面と面一になって、収容部９８が座部１１内に没入する収納状態と、開口部９３から前面板９５や側面板９７が外方へ突出して収容部９８が座部１１の外方へ飛び出す状態との間、つまり前面板９５がほぼ垂直に立設する状態と前面板９５がほぼ水平になる状態との間で回動自在になっている。このとき、開き止め突部１０３が開口部９３の背面側縁部に当接することによって、収納容器９４が開口部９３から突出した状態を保持できるようにし、収納容器９４がこれ以上開口部９３から飛び出さないようになっている。
【００２３】
ここで、収納容器９４の前面板９５の外面は、座部１１の外面と同じ材料で同じ色模様に形成してあり、前面板９５が座部１１の表面と面一になるように収納容器９４を開口部９３に収納したときには、前面板９５が座部１１の一部をなすような外観になるようにしてある。またトイレットペーパー１０６を使用しないときには、このように前面板９５が座部１１と面一になるように収納容器９４を開口部９３内に収納できるので、トイレットペーパー１０６を使用しないときにも収納容器９４やトイレットペーパー１０６が座部１１から突出している場合のように、邪魔になるようなことがなくなるものである。
【００２４】
そして、収納容器９４の収容部９８にはホルダー１０４に保持した状態でロール状のトイレットペーパー１０６を収容することができるものであり、排便が終わった後に、収納容器９４を引き出して座部１１の開口部９３から突出させることによって、図１のようにトイレットペーパー１０６を座部１１内から飛び出させ、トイレトペーパー１０６を使用することができるものである。このとき、トイレットペーパー１０６はホルダー１０４によってホルダー軸受け１０１に回動自在に支持されており、ロール状のトイレットペーパー１０６をホルダー１０４で回転させながらペーパーを繰り出すことができるものであり、トイレットペーパー１０６を使い勝手良く使用することができるものである。
【００２５】
また、上記のように収納容器９４を引き出して収容部９８を座部１１の開口部９３から突出させると、収納部９８に設けた蓋保持部１０２が座部１１の外側へ飛び出す。収納容器９４を突出させた状態では、蓋保持部１０２はホルダー軸受け１０１よりも外方に位置しているものであり、この蓋保持部１０２に図７のように便蓋１５の側部を差し込むことによって、便蓋１５を立てかけた状態で保持することができるものである。従って、排便する時に便受け槽１６から外した便蓋１５を、トイレットペーパー１０６を収納するための収納容器９４を利用して保持することができるものであり、便蓋１５の置き場所にこまるというような問題がなくなるものである。
【図面の簡単な説明】
【００２６】
【図１】本発明の実施の形態の一例を示す斜視図である。
【図２】同上の椅子として使用できる状態を示す斜視図である。
【図３】同上の排便に使用できる状態を示す一部破断した斜視図である。
【図４】同上の便受け槽を取り出した状態を示す斜視図である。
【図５】同上の収納容器を示すものであり、（ａ）は一部破断した正面図、（ｂ）は側面図、（ｃ）は平面図である。
【図６】同上の一部の斜視図である。
【図７】同上の一部の斜視図である。
【符号の説明】
【００２７】
１  トイレ本体
１１  座部
１５  便蓋
１６  便受け槽
９３  開口部
９４  収納容器
９８  収容部
１０１  ホルダー軸受け
１０２  蓋保持部
１０４  ホルダー
１０６  トイレットペーパー
【図１】
2005152261.tif 000003
【図２】
2005152261.tif 000004
【図３】
2005152261.tif 000005
【図４】
2005152261.tif 000006
【図５】
2005152261.tif 000007
【図６】
2005152261.tif 000008
【図７】
2005152261.tif 000009